(57)【要約】【課題】浴槽までの移動時及び入浴時に、入浴者の身体を他人の視線から常時隠す事が可能で、入浴者に羞恥心や不快感等を与えず快適な入浴を可能とする。また、介助者による入浴者の移動作業と、身体の洗浄作業等を容易に行う事を可能とする。このような入浴介助手段を、簡単な構成で容易に製作して生産性を向上させる。【解決手段】入浴者２の体幅よりも幅広で、頭部から膝までの長さよりも長く、表面に入浴者２を配置して四隅を持ち上げた場合に破断する事のない強度として本体シート１を形成する。この本体シート１に、接続手段３の一方部材４を、本体シート１の長さ方向の一側に複数個配置し、この一方部材４に対応する本体シート１の他側位置に、他方部材５を複数個配置する。【選択図】  図６
2005000425.tif 000002
【特許請求の範囲】
【請求項１】
入浴者の体幅よりも幅広で、入浴者の頭部から膝までの長さよりも長くした本体シートを、表面に入浴者を配置して四隅を持ち上げた場合に破断する事のない強度とし、この本体シートに、一方部材と他方部材とから成る接続手段の一方部材を、本体シートの長さ方向の一側に複数個配置するとともにこの一方部材に対応する本体シートの他側位置に、他方部材を複数個配置して本体シートを形成し、この本体シートを入浴者の背面と前面に各々配置して、一方部材と他方部材とを接続し、入浴者を被覆して入浴時に使用することを特徴とする入浴介助用シート。
【請求項２】
接続手段の一方部材と他方部材とは、本体シートの表面に入浴者を配置した状態で、入浴者の肩の上面及び入浴者の両側に配置したことを特徴とする請求項１の入浴介助用シート。
【請求項３】
接続手段は、一方部材をループ状の紐により形成し、このループ状の紐に係合するボタンにて他方部材を形成したことを特徴とする請求項１又は２の入浴介助用シート。
【請求項４】
本体シートは、マイクロファイバー繊維により形成したことを特徴とする請求項１又は２の入浴介助用シート。
【発明の詳細な説明】
【０００１】
【産業上の利用分野】
本発明は、自宅や病院等にて寝たきりの患者や、寝たきりではないが入浴の介助が必要な人を入浴させる際に、介助者が入浴者をベッドや室内から浴槽まで移動させる事が可能であるとともに、この移動中及び入浴中に、入浴者の身体を他人の視線から常時隠しながら、介助者による入浴介助に支障を生じないようにす事が可能な入浴介助用シートに係るものである。
【０００２】
【従来の技術】
【特許文献１】特開平９−７０４２１号公報
【特許文献２】特開２００２−２２４１６３号公報
【特許文献３】特開２００２−８５５１１号公報
【特許文献４】特開２００２−１１３０６５号公報
【特許文献５】特開２００２−１７７３４５号公報
【０００３】
従来、家庭や病院等で寝たきりの患者等を入浴させる際には、入浴者の衣服を脱がせた後、入浴の介助者が入浴者の身体に直接手を掛けて持ち上げ、浴槽に移動する等の手段を用いていた。しかし、入浴者の身体の一部に持ち上げ力が集中したり、無理な体勢をとらせて入浴者に大きな負担が掛かるだけでなく、介助者の作業も容易ではなかった。また、特許文献３〜５記載の発明の如く、移動装置を使用して入浴者を浴槽に移動する手段もあり、介助者の労力や入浴者の身体的負担は減るが、装置が高価で広い設置スペース等を必要としていた。
【０００４】
また、入浴者の移動を手軽で廉価に行う手段として、特許文献１、２記載の発明の如く、入浴者をメッシュ製のシートや担架等の入浴介助用シートに乗せて浴槽まで移動する手段もあった。これらの手段では、メッシュシート、担架ごと入浴者を浴槽に入れて、入浴や身体の洗浄作業を行う事も可能であり、前記特許文献３〜５等に比べて廉価で単純な構成であり、手軽な使用が可能であった。
【０００５】
【発明が解決しようとする課題】
しかしながら、上記特許文献１〜５に記載の従来技術は何れも、入浴者を裸にした状態で移動や入浴を行うので、裸体が他人の視線に晒され、入浴者が羞恥心や不快感を覚える不具合があった。また、寝たきりではなく、自力で移動が可能な入浴者の場合でも、裸体のまま移動しなくてはならず、羞恥心が強く抵抗感があった。そこで、移動の際は、バスタオル等で入浴者の身体を被覆する事で、このような不具合は解消可能であるが、浴槽内ではバスタオルが水中を浮遊したり、入浴者の身体にまとわりついたりして、介助者による入浴者の身体の洗浄作業等を妨げる事があるため、入浴中はバスタオルを除去せざるを得なかった。すると、入浴者の裸体が介助者の視線に晒されるものとなって、入浴者にとって快適な入浴とは言えないものであった。
【０００６】
本発明は上述の如き課題を解決するため、浴槽への入浴者の移動時及び入浴時に、常に入浴者の身体を被覆して使用する事が可能な入浴介助手段を、簡易な構成で廉価に得ようとするものである。そして、この入浴介助手段により、入浴の介助者による入浴者の移動を容易に行うとともに、入浴者の身体を被覆したままでも介助者による入浴者の身体の洗浄作業が妨げられず、効率的な入浴を可能とするものである。また、入浴者の身体を常時被覆する事で、入浴者の精神的負担を軽減し、快適な入浴を可能とするものである。
【０００７】
【課題を解決するための手段】
本発明は、上述の如き課題を解決するため、入浴者の体幅よりも幅広で、入浴者の頭部から膝までの長さよりも長くした本体シートを、表面に入浴者を配置して四隅を持ち上げた場合に破断する事のない強度とし、この本体シートに、一方部材と他方部材とから成る接続手段の一方部材を、本体シートの長さ方向の一側に複数個配置するとともにこの一方部材に対応する本体シートの他側位置に、他方部材を複数個配置して本体シートを形成し、この本体シートを入浴者の背面と前面に各々配置して、一方部材と他方部材とを接続し、入浴者を被覆して入浴時に使用して成るものである。
【０００８】
また、接続手段の一方部材と他方部材とは、本体シートの表面に入浴者を配置した状態で、入浴者の肩の上面及び入浴者の両側に配置しても良い。
【０００９】
また、接続手段は、一方部材をループ状の紐により形成し、このループ状の紐に係合するボタンにて他方部材を形成しても良い。
【００１０】
また、本体シートは、マイクロファイバー繊維により形成しても良い。
【００１１】
【作用】
本発明は上述の如く構成したものであるから、寝たきりの患者等、自力での歩行が困難な人を入浴させる際には、入浴者を２枚の本体シートの間に配置し、入浴者の前面側の本体シートを入浴者の首部まで折り返して顔面を露出させた後、入浴の介助者が本体シートの四隅を持ち上げる事により、入浴者をベッドや室内から浴槽まで容易に移動させる事ができる。そして、本体シートが入浴者の体幅よりも幅広で、頭部から膝よりも長尺であるから、入浴者の移動を安定して行う事ができる。更に、２枚の本体シートを接続手段により接続しているので、移動時に多少の振動が加わったり、入浴者が動いた場合等でも、入浴者の前面を被覆した本体シートが離脱して裸体が露出する等の不具合がなく、円滑な移動が可能となる。
【００１２】
一方、入浴者は、身体の背面と前面の、少なくとも肩から膝までの部位が、本体シートにて被覆され、裸体が露出する事がないから、他人の視線を気にする必要がなく、入浴者が浴槽への移動に羞恥心や不快感等を感じる事がないものとなる。また、本体シートにて身体を被覆する事により、移動中の防寒や怪我の防止の役割も果たすものとなり、入浴介助用シートの機能性が増すものとなる。
【００１３】
次に、浴槽内での入浴時は、２枚の本体シートを着用したままで、入浴者を浴槽内に配置する事ができる。そして、接続手段を解除しない限りは、本体シートが水中で不必要に浮遊する事がなく、入浴者の身体の被覆状態を保つ事ができる。また、介助者が入浴者の身体を洗う際にも、本体シートを外す必要がなく、２枚の本体シートの隙間から内部に手や洗浄具を挿入する事により、入浴者の身体を洗う事ができる。従って、洗浄作業中も入浴者の裸体が介助者等の視線に晒される事がなく、入浴者は羞恥心や不快感を感じずに快適な入浴が可能となる。
【００１４】
そして、入浴が完了したら、入浴者を浴槽に配置した状態で、浴槽からお湯を排出する。この排出後に、接続手段の接続を解除して本体シートを入浴者の身体から取り外した後、バスタオル等で入浴者の身体から水分を拭き取る。この本体シートの取り外しの際に、バスタオル等で素早く入浴者の身体を覆いながら行う事により、入浴者の裸体の露出を少なくする事ができる。
【００１５】
このように、入浴者の移動時及び入浴中に、２枚の本体シートにより常時入浴者の身体を被覆する事ができるので、入浴者が裸体の露出による羞恥心や不快感を覚える事がなく、快適な入浴が可能となる。また、介助者にとっても、入浴者の移動作業が容易となるとともに、洗浄作業等に支障を生じる事がなく、作業効率を向上させる事ができる。
【００１６】
また、本体シートの長さ方向の一側に接続手段の一方部材を設け、他側に他方部材を設けているから、同一形状の２枚の本体シートを接続手段側を内側にして入浴者の背面と前面に配置すると、互いの一方部材と他方部材とを接続して２枚の本体シートを接続する事ができる。そして、この２枚の本体シート間に入浴者を配置可能となる。そのため、本体シートは背面用と前面用とで構成の異なるものを２種類製作する必要がなく、一種類の本体シートのみを製作すれば良いので、入浴介助用シートの生産性を向上させる事ができる。また、使用現場に於いても、背面側と前面側とを選択して組み合わせる必要がなく、本体シートの洗濯作業やその後の保管を容易に行う事ができ、作業効率が向上するものとなる。
【００１７】
また、上記接続手段の一方部材と他方部材とは、本体シートの表面に入浴者を配置した状態で、入浴者の肩の上面に臨ませて配置するとともに、入浴者の腹部や腰部等の両側に配置されるように形成しても良い。このような構成であると、入浴者が起きあがっても、入浴者の肩の上面に設けた接続手段が肩に引っ掛かり、前面及び背面の本体シートが入浴者の身体から脱落する事がない。更に、入浴者の両側に於いても２枚の本体シートを接続しているので、この２枚の本体シートの間から身体が露出する事もない。従って、自力での歩行が可能な入浴者の場合には、２枚の本体シートを貫頭衣の如く身体に装着して、身体の背面と前面及び側面を他人の視線から隠した状態で、浴槽まで歩行により移動する事ができ、入浴者は快適な移動が可能となる。尚、自力歩行の場合も本体シートの上端を首部で折り返す等により、入浴者の顔面を露出させ、視界を妨げないようにする。
【００１８】
また、接続手段は、一方部材をループ状の紐により形成し、このループ状の紐に係合するボタンにて他方部材を形成すれば、一方部材と他方部材の脱着を容易に行う事ができる。また、一方部材がループ状の紐であるから、接続手段を接続した場合でも、ループ状の紐の長さ分の余裕があって、２枚の本体シートが互いに密着し過ぎず、介助者が２枚の本体シートの隙間から内部に洗浄具を挿入して、入浴者の身体の洗浄作業を容易に行う事ができる。
【００１９】
また、本体シートは、マイクロファイバー繊維により形成すれば、入浴者を載置して持ち上げても、破断する事のない強度が得られるとともに、入浴者への肌触りが良好で快適な使用感が得られる。更に、マイクロファイバー繊維は吸水力が高く、しかも水切れも良好であるから、入浴完了後に背面の本体シートを外して水分を絞り取った後、この本体シートを使用して、入浴者の身体に付着した水分を良好に拭き取る事が可能となる。そして、再び本体シートを絞って水分を除去する事で、使用済みの本体シートの回収を容易に行う事ができるし、洗濯や乾燥も容易で迅速となる。更に、パイル状のマイクロファイバー製シートを使用すれば、入浴者への肌触りを、より良好なものとする事ができる。また、マイクロファイバー製シートであるから、入浴中に前面の本体シートが水中に浮上し、入浴者との間に広い隙間を作るので、介助者がこの隙間に手や洗浄具を挿入して、入浴者の身体を洗い易いものとなる。
【００２０】
【実施例】
以下本発明の一実施例を図面に於て説明すれば、（１）は本体シートで、図４に示す如く、入浴者（２）の体幅よりも幅広で、入浴者（２）の頭部から膝までの長さよりも長く形成し、表面に入浴者（２）を載置して移動するのに十分な大きさで形成している。
【００２１】
また、本体シート（１）は、入浴者（２）を配置した状態で四隅を持ち上げた際に、破断する事のない強度を有するとともに、耐水性も有するものであれば、綿その他の天然繊維や合成繊維等を使用した平織物、パイル状織物、メッシュ素材等、何れの素材で形成しても良いが、本実施例では、パイル状のマイクロファイバー製シートを使用している。このマイクロファイバー製シートを使用する事により、軽量で丈夫な製品が得られるとともに、肌触りが良好で入浴者（２）の肌を痛めず快適な使用感が得られる。更に、マイクロファイバー製シートは水切れが良いので、入浴により濡れた本体シート（１）を絞るだけで容易に水分を除去する事ができ、洗濯後も乾燥し易く、取り扱いが容易なものとなる。また、吸水力にも優れるから、本体シート（１）を入浴者（２）の濡れた身体の拭き取りにも使用する事ができる。
【００２２】
また、本体シート（１）は、一方部材と他方部材とから成る接続手段（３）を設けている。この接続手段（３）は、ベロクロスファスナー等で形成しても良いが、オス型ベロクロスファスナーのフック状の先端が引っかかって入浴者（２）の皮膚が刺激されたり、ゴミが付着して止着力が弱くなる場合がある。そのため、本実施例では、図１、図２、図４に示す如く、一方部材として紐をループ状に形成したループ体（４）を、本体シート（１）の一側及び入浴者（２）の肩の上面に配置している。このループ体（４）の両先端に止め布（９）を被せ、この止め布（９）を本体シート（１）に縫い付ける事により、ループ体（４）を本体シート（１）に接続固定している。また、ループ体（４）の配置は、図１、図４に示す如く、入浴者（２）の肩の上面に臨ませて２箇所と、本体シート（１）の一側の、入浴者（２）の腹部及び腰付近の２箇所の合計４箇所に配置している。
【００２３】
そして、本体シート（１）の他側のループ体（４）の対応位置に、ループ体（４）に係合可能なボタン（５）を、他方部材として接続配置している。前記ボタン（５）は、図３に示す如く、長穴状のボタン穴（６）を２本平行に開口し、このボタン穴（６）に幅広な布テープ（７）をループ状に挿通している。この布テープ（７）の両端部に止め布（９）を被せ、この止め布（９）を本体シート（１）に縫い付ける事により、ボタン（５）を本体シート（１）に接続固定している。このように、ボタン（５）を幅広な布テープ（７）と止め布（９）により本体シート（１）に接続固定する事により、耐久性が向上し、ボタン（５）が容易に引きちぎられるような事がないものとなる。更に、ボタン（５）に布テープ（７）の長さ分の余裕があるから、ループ体（４）へのボタン（５）の係合を容易に行う事ができる。
【００２４】
このような本体シート（１）を入浴者（２）の背面と前面に各々配置して使用するが、本体シート（１）を上述の如き構成とする事により、接続手段（３）を内側にして２枚の本体シート（１）を積層した際に、互いのループ体（４）に臨ませてボタン（５）を配置させる事ができる。そして、互いに対向するループ体（４）にボタン（５）を係合する事により、一方の本体シート（１）と他方の本体シート（１）とを接続手段（３）を介して接続する事ができる。従って、入浴者（２）の背面側と前面側とで異なる構成の本体シート（１）を製作する必要がなく、全て同一形状の本体シート（１）を製作すれば良く、入浴介助用シートの生産性を向上させる事ができる。また、使用現場に於いても、背面側と前面側とを選択的に組み合わせる必要がなく、本体シート（１）の洗濯作業やその後の保管、更には入浴準備作業を効率的に行う事ができる。
【００２５】
そして、上述の如き入浴介助用シートを使用して、入浴者（２）を入浴させるには、まず、図４に示す如く、一枚の本体シート（１）を入浴者（２）の背面に配置する。この配置の際は、本体シート（１）に設けた接続手段（３）が、入浴者（２）の肩の上面と腹部、腰部付近の両側に配置されるようにする。次に、入浴者（２）の衣服を脱がせるが、入浴者（２）を背面の本体シート（１）に横たえた状態で、別個の本体シート（１）で入浴者（２）の身体の前面を被覆しながら、脱衣動作を行う事により、入浴者（２）の裸体が露出するのを防ぐ事ができる。この作業により、入浴者（２）の身体の頭部から膝までが２枚の本体シート（１）によって被覆されるが、入浴者（２）の顔面は、本体シート（１）で被覆されないように、図５、図６に示す如く、肩の上面の接続手段（３）の位置で前面の本体シート（１）を折り返しておく。そして、背面及び前面の本体シート（１）の、互いに対応するループ体（４）にボタン（５）を係合する事により、入浴者（２）を間に挟んで２枚の本体シート（１）が接続される。
【００２６】
そして、自力での歩行が困難な入浴者（２）の場合には、図６に示す如く、複数の介助者（８）が本体シート（１）の四隅を各々保持して持ち上げる事ができる。この持ち上げ状態で、介助者（８）は、本体シート（１）ごと、入浴者（２）を浴槽まで容易に移動させる事ができる。尚、入浴者（２）の頭部側では、前面の本体シート（１）を折り返して顔面を露出させているので、この頭部側では背面の本体シート（１）のみを介助者（８）が保持するものとなる。しかし、本体シート（１）の強度が十分であるので、背面の本体シート（１）のみを保持しても、移動中に破断等を生じるような事がない。
【００２７】
そして、従来は移動の際に、入浴者（２）の裸体が他人の視線に晒されるものとなり、入浴者（２）が強い羞恥心等を感じていたが、本発明では、入浴者（２）の背面と前面に本体シート（１）を配置して、常に他人の視線から入浴者（２）の身体を隠した状態で移動作業を行う事ができる。従って、入浴者（２）が羞恥心や不快感等を感じる事がなく、快適なものとなる。また、本体シート（１）はパイル状のマイクロファイバー製であるから、軽量で肌触りも良好であるとともに、防寒や怪我の防止等の役目も果たし、入浴者（２）は快適な使用感も得られるものとなる。
【００２８】
尚、上記移動の際に、２人の介助者（８）が本体シート（１）の四隅を保持するだけでなく、更に他の介助者（８）が本体シート（１）の両側を何カ所か保持して移動作業を行っても良い。このように移動を行うと、特に体重の重い入浴者（２）を移動させる際には介助者（８）の労力が軽減されるし、入浴者（２）を水平に安定して移動させる事ができるので、移動作業をより円滑に行って、入浴者（２）の身体的負担をも軽減する事ができる。また、接続手段（３）により入浴者（２）の両側にて２枚の本体シート（１）を接続しているので、移動時に多少の振動が加わったり、入浴者（２）が動いた場合でも、入浴者（２）の前面を被覆する本体シート（１）が離脱して入浴者（２）の裸体が露出する事がなく、入浴者（２）の移動に支障を来す事がないものとなる。
【００２９】
また、入浴者（２）が起きあがった場合でも、肩の上面に臨ませて設けた接続手段（３）が入浴者（２）の肩に引掛かるので、前面及び背面の本体シート（１）が入浴者（２）の身体から脱落する事がない。また、接続手段（３）により入浴者（２）の両側でも２枚の本体シート（１）を接続しているので、両側から身体が露出する事もない。そのため、自身での歩行が可能な入浴者（２）の場合には、２枚の本体シート（１）を貫頭衣のように装着して身体を隠した状態で、浴槽（１０）まで歩行により移動する事ができる。また、この場合も、本体シート（１）の四隅には接続手段（３）を設けていないから、入浴者（２）が身体を起こすと同時に、肩の上面の接続手段（３）を介して本体シート（１）の頭部側が前後にめくれて顔面が露出するので、入浴者（２）の視界が妨げられず、歩行に支障を来す事がないものである。
【００３０】
次に、入浴の際は、従来の如く単なるバスタオルで入浴者（２）の身体を被覆しただけでは、バスタオルが水中を浮遊して入浴者（２）の身体から外れ、裸体が露出したり、バスタオルが入浴者（２）の身体にまとわりついて、介助者（８）による入浴介助に支障を来す場合があった。そのため、従来はバスタオルを外して入浴せざるを得ず、裸体が介助者の視線に晒されて、入浴者（２）が羞恥心等を感じる不具合があった。
【００３１】
しかしながら、本発明では、図７に示す如く、２枚の本体シート（１）を着用したままで、入浴者（２）を浴槽（１０）内に配置して入浴させる事ができる。そして、本実施例の本体シート（１）はマイクロファイバー製であるから、水中で浮き易いが、接続手段（３）を解除しない限りは背面及び前面の本体シート（１）が入浴者（２）の身体から離脱する事がなく、入浴者（２）の身体の被覆状態を保つ事ができる。また、この被覆状態を保ちつつも、図７に示す如く、マイクロファイバー製の前面の本体シート（１）が浮き上がる事によって、入浴者（２）の身体への本体シート（１）のまとわりつきも防止する事ができる。
【００３２】
そして、介助者（８）が入浴者（２）の身体を洗う際にも、前面の本体シート（１）を除去する必要がなく、２枚の本体シート（１）間の両側に形成される隙間や、足側の開口部から、スポンジ等の洗浄具（１１）を挿入する事で、入浴者（２）の身体を容易に洗う事ができる。更に、図７に示す如く、前面の本体シート（１）が浮き上がって、入浴者（２）の身体との間隔が広くなっているので、洗浄具（１１）の挿入や洗浄作業を行い易く、作業効率が向上するものとなる。
【００３３】
このように、本発明では、浴槽（１１）までの移動時だけでなく、入浴中も常時本体シート（１）により入浴者（２）の身体を常時被覆して、介助者（８）等の視線から裸体を常時隠す事ができ、入浴者（２）が羞恥心等を感じずに快適に入浴する事が可能となる。
【００３４】
そして、入浴が終了したら、入浴者（２）を浴槽（１０）に配置したままで浴槽（１０）内のお湯を排出する。このお湯の排出が完了したら、接続手段（３）の接続を解除して本体シート（１）を入浴者（２）の身体から取り外し、バスタオル等で入浴者（２）の身体に付着した水分を拭き取る。この本体シート（１）の取り外しの際に、バスタオル等で素早く入浴者（２）の身体を覆いながら行う事により、入浴者（２）の裸体の露出を少なくする事ができる。
【００３５】
また、マイクロファイバー製シートは、例えば綿１００％のバスタオルに比べて、吸水力が３倍以上あり、しかも水切れも良好である。そのため、背面の本体シート（１）のみを外して、その水分を絞り取ってから、この本体シート（１）を使用して、入浴者（２）の身体の水分を良好に拭き取る事できる。その結果、拭き取りのためのバスタオル等を別個に使用する必要がなく、汚れ物を少なくする事ができる。また、使用済みの本体シート（１）から水分を良好に絞り取る事ができるので、汚れ物の回収も容易であるし、洗濯後は乾燥し易いものとなる。
【００３６】
また、上記実施例では、接続手段（３）の一方部材をループ体（４）で形成し、他方部材をボタン（５）で形成するとともに、これらを止め布（９）により本体シート（１）に縫い付けている。しかし、他の異なる実施例として、止め布（９）を使用せず、図示はしないが本体シート（１）にタックを形成し、ループ体（４）の両先端や、ボタン（５）に挿通した布テープ（７）の両端部を前記タックの間に挟み込んでタックを縫い止める事で、本体シート（１）にループ体（４）とボタン（５）とを接続固定しても良い。また、本体シート（１）の両端に設ける接続手段（３）の場合には、本体シート（１）の外周の裁ち目を折り返して始末する際に、この折り返しと本体シート（１）との間にループ体（４）や布テープ（７）の両端部を挟み込んで、一体に縫い合わせても良い。このような手段であると、止め布（９）を使用した場合に比べ、縫製工程を減らす事ができるとともに、材料費も安くなり、低コストな実施が可能となる。
【００３７】
また、更に異なる実施例として、本体シート（１）に切れ目を入れて形成したボタンホールを一方部材とし、ボタン（５）を係合しても良い。また、長穴状のボタン穴（６）を有するボタン（５）ではなく、一般的な円形の２つ穴や４つ穴のボタン穴（６）を有するボタン（５）を糸で本体シート（１）に縫いつけても良い。
【００３８】
【発明の効果】
本発明は上述の如く構成したものであるから、入浴介助が必要な入浴者を入浴させる際に、２枚の本体シートを入浴者の背面と前面に配置する事で、浴槽への入浴者の移動時及び入浴時に、常に入浴者の身体を被覆して、他人の視線から裸体を隠す事ができる。従って、入浴者は羞恥心や不快感等を感じる事がなく、快適な入浴が可能となる。更に、介助者による入浴者の浴槽への移動も容易となるし、入浴者が本体シートを装着したままでも、入浴者の身体の洗浄作業が妨げられる事がなく、効率的な作業が可能となる。また、背面と前面とで別個の構成で本体シートを製作する必要がなく、全て同一形状で本体シートを形成すれば良いので、入浴介助用シートの生産性を向上させ、廉価な製品を得る事ができる。また、使用時に於いても、背面と前面の本体シートを選択的に組み合わせる必要がなく、作業効率を向上させる事ができる。
【図面の簡単な説明】
【図１】本発明の１実施例の本体シートの平面図。
【図２】接続手段のループ体の拡大斜視図。
【図３】接続手段のボタンの拡大斜視図。
【図４】本体シートの上面に入浴者を配置した状態を示す平面図。
【図５】入浴者の背面と前面に本体シートを配置した状態を示す断面図。
【図６】本体シートの四隅を介助者が保持した状態を示す平面図。
【図７】本体シートを装着した入浴者を浴槽に配置した状態を示す断面図。
【符号の説明】
１  本体シート
２  入浴者
３  接続手段
４  ループ体（本発明の一方部材）
５  ボタン（本発明の他方部材）
【図１】
2005000425.tif 000003
【図２】
2005000425.tif 000004
【図３】
2005000425.tif 000005
【図４】
2005000425.tif 000006
【図５】
2005000425.tif 000007
【図６】
2005000425.tif 000008
【図７】
2005000425.tif 000009